(57)【要約】【課題】ユーザが保持している位置を精度よく判別できる電子機器を提供する。【解決手段】本発明の電子機器は、本体部と、前記本体部内又は近傍においてユーザの体の動きを検出する第１センサの検出結果を入力する入力部と、前記入力部が入力した前記第１センサの検出結果に応じて、前記ユーザの体のどの位置で前記本体部が保持されているかを判別する第１判別部と、を備えている。【選択図】図１
2013255192.tif 000002
【特許請求の範囲】
【請求項１】
本体部と、
前記本体部内又は近傍においてユーザの体の動きを検出する第１センサの検出結果を入力する入力部と、
前記入力部が入力した前記第１センサの検出結果に応じて、前記ユーザの体のどの位置で前記本体部が保持されているかを判別する第１判別部と、を備えたことを特徴とする電子機器。
【請求項２】
前記入力部は、前記ユーザの体に接触又は近接していることを検出する第２センサの検出結果を入力し、
前記第１判別部は、前記第２センサの検出結果に応じて前記ユーザの体のどの位置で前記本体部が保持されているかを判別することを特徴とする請求項１に記載の電子機器。
【請求項３】
前記入力部は、前記本体部近傍におけるにおいを検出する第３センサの検出結果を入力し、
前記第３センサの検出結果と前記第１判別部の判別結果とに応じて、前記においの発生位置を判別する第２判別部を備えたことを特徴とする請求項１又は２に記載の電子機器。
【請求項４】
前記第３センサの検出結果と、前記第２判別部の判別結果とに基づいて、前記ユーザに防臭に関する報知を行なう報知部を備えたことを特徴とする請求項３に記載の電子機器。
【請求項５】
前記ユーザが前記本体部を使用しているタイミングで、前記ユーザが着用している衣服を撮像する撮像部を備えたことを特徴とする請求項３に記載の電子機器。
【請求項６】
前記撮像部による撮像結果と、前記第２判別部の判別結果に基づいて、前記衣服のクリーニング時期を報知する報知部を備えたことを特徴とする請求項５に記載の電子機器。
【請求項７】
前記本体部の位置を検出する位置センサを備え、
前記報知部は、前記位置センサの検出結果に応じて、前記衣服のクリーニング時期を報知することを特徴とする請求項６に記載の電子機器。
【請求項８】
前記第２センサは、ユーザの体の周辺に存在する電界の変化を検出することを特徴とする請求項２に記載の電子機器。
【請求項９】
前記第２センサは、電極部を有し、前記電極部とユーザの体とを介した他の機器との通信が可能か否かを検出することを特徴とする請求項２に記載の電子機器。
【請求項１０】
前記第１判別部は、前記本体部がユーザの上半身と下半身とのいずれにおいて保持されているかを判別することを特徴とする請求項１〜９のいずれか一項に記載の電子機器。
【請求項１１】
前記入力部は、前記本体部近傍の明るさを検出する第４センサの検出結果を入力し、
前記第１判別部は、前記第４センサの検出結果に応じて前記ユーザの体のどの位置で前記本体部が保持されているかを判別することを特徴とする請求項１〜１０のいずれか一項に記載の電子機器。
【発明の詳細な説明】
【技術分野】
【０００１】
本発明は、電子機器に関する。
【背景技術】
【０００２】
従来、利用者による自主的な操作が行われなくても、利用者の状況（体内アルコール濃度やアルコール摂取時刻）を自動的に記録する技術が提案されている（例えば、特許文献１参照）。
【先行技術文献】
【特許文献】
【０００３】
【特許文献１】特開２０１０−７４５５０号公報
【発明の概要】
【発明が解決しようとする課題】
【０００４】
しかしながら、特許文献１の技術は利用可能な状況・分野が限定的であり、汎用性に欠けていた。また、特許文献１のような機能のほか、携帯機器に搭載される機能（例えば歩数計機能）の精度を高めるためには、ユーザが携帯機器を保持している位置を精度よく判別することが重要である。
【０００５】
本発明は上記の課題に鑑みてなされたものであり、ユーザが保持している位置を精度よく判別可能な電子機器を提供することを目的とする。
【課題を解決するための手段】
【０００６】
本発明の電子機器は、本体部（１１）と、前記本体部内又は近傍においてユーザの体の動きを検出する第１センサ（２７，２８）の検出結果を入力する入力部（６０）と、前記入力部が入力した前記第１センサの検出結果に応じて、前記ユーザの体のどの位置で前記本体部が保持されているかを判別する第１判別部（６０）と、を備えている。
【０００７】
この場合において、前記入力部は、前記ユーザの体に接触又は近接していることを検出する第２センサ（２５）の検出結果を入力し、前記第１判別部は、前記第２センサの検出結果に応じて前記ユーザの体のどの位置で前記本体部が保持されているかを判別することとしてもよい。また、前記入力部は、前記本体部近傍におけるにおいを検出する第３センサ（２６）の検出結果を入力し、前記第３センサの検出結果と前記第１判別部の判別結果とに応じて、前記においの発生位置を判別する第２判別部（６０）を備えていてもよい。この場合、前記第３センサの検出結果と、前記第２判別部の判別結果とに基づいて、前記ユーザに防臭に関する報知を行なう報知部（１２，１５）を備えていてもよい。また、前記ユーザが前記本体部を使用しているタイミングで、前記ユーザが着用している衣服を撮像する撮像部（３０）を備えていてもよい。
【０００８】
本発明の電子機器が撮像部を備える場合、前記撮像部による撮像結果と、前記第２判別部の判別結果に基づいて、前記衣服のクリーニング時期を報知する報知部（１２，１５）を備えていてもよい。この場合、前記本体部の位置を検出する位置センサ（２１）を備え、前記報知部は、前記位置センサの検出結果に応じて、前記衣服のクリーニング時期を報知することとしてもよい。
【０００９】
本発明の電子機器が第２センサを備える場合、前記第２センサは、ユーザの体の周辺に存在する電界の変化を検出することとしてもよい。また、前記第２センサは、電極部（７０）を有し、前記電極部とユーザの体とを介した他の機器（１００）との通信が可能か否かを検出することとしてもよい。
【００１０】
本発明の電子機器において、前記第１判別部は、前記本体部がユーザの上半身と下半身とのいずれにおいて保持されているかを判別することとしてもよい。また、前記入力部は、前記本体部近傍の明るさを検出する第４センサ（２９）の検出結果を入力し、前記第１判別部は、前記第４センサの検出結果に応じて前記ユーザの体のどの位置で前記本体部が保持されているかを判別することとしてもよい。
【００１１】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１２】
本発明の電子機器は、ユーザが保持している位置を精度よく判別できるという効果を奏する。
【図面の簡単な説明】
【００１３】
【図１】一実施形態に係る携帯機器の構成を示すブロック図である。
【図２】図２（ａ）は、ユーザが歩いている状態を示す図であり、図２（ｂ）は、ユーザの進行方向と、角速度の計測軸との関係を示す図であり、図２（ｃ）は、ユーザが胸ポケットに携帯機器を入れて歩行している場合の角速度の変化を示す図であり、図２（ｄ）は、ユーザがズボンのポケットに携帯機器を入れて歩行している場合の角速度の変化を示す図である。
【図３】図３（ａ）は、ユーザが胸ポケットに携帯機器を入れて歩行している場合の進行方向に関する加速度の変化を示す図であり、図３（ｂ）は、ユーザがズボンのポケットに携帯機器を入れて歩行している場合の進行方向に関する加速度の変化を示す図である。
【図４】撮像部による撮像範囲を示す図である。
【図５】制御部による撮像処理を示すフローチャートである。
【図６】図６（ａ）、図６（ｂ）は、服装ＤＢを示す図（その１）である。
【図７】図７（ａ）、図７（ｂ）は、服装ＤＢを示す図（その２）である。
【図８】制御部によるにおい判定処理を示すフローチャートである。
【図９】図９（ａ）は、においＤＢを示す図であり、図９（ｂ）は、におい発生予測時間ＤＢを示す図である。
【図１０】制御部によるクリーニング時期予測処理を示すフローチャートである。
【図１１】変形例を説明するための図である。
【発明を実施するための形態】
【００１４】
以下、一実施形態に係る携帯機器１０について、図１〜図１０に基づいて、詳細に説明する。図１には、携帯機器１０の構成がブロック図にて示されている。
【００１５】
携帯機器１０は、ユーザにより携帯された状態で利用される情報機器である。携帯機器１０としては、携帯電話、スマートフォン、ＰＨＳ（Personal Handy-phone System）、ＰＤＡ（Personal Digital Assistant）等を採用することができるが、本実施形態では、携帯機器１０は、スマートフォンであるものとする。携帯機器１０は、電話機能やインターネット等に接続するための通信機能、および、プログラムを実行するためのデータ処理機能等を有する。
【００１６】
携帯機器１０は、図１に示すように、ディスプレイ１２と、タッチパネル１４と、スピーカ１５と、カレンダ部１６と、センサ部２０と、撮像部３０と、服装検出部４１と、フラッシュメモリ５０と、制御部６０と、を有する。なお、上記各部は、図４に示す本体部（筐体）１１内部又は外表面に設けられているものとする。
【００１７】
ディスプレイ１２は、画像、各種情報およびボタン等の操作入力用画像を表示するものであり、一例として、液晶表示素子を用いたデバイスであるものとする。
【００１８】
タッチパネル１４は、ユーザが触れたことに応じた情報を制御部６０に対して入力することが可能なインタフェースである。タッチパネル１４は、ディスプレイ１２表面またはディスプレイ１２内に組み込まれているため、ユーザは、ディスプレイ１２の表面をタッチすることにより、種々の情報を直感的に入力することができる。
【００１９】
カレンダ部１６は、年、月、日、時刻といった時間情報を取得して、制御部６０に対して出力する。なお、カレンダ部１６は、更に計時機能を有しているものとする。
【００２０】
センサ部２０は、各種センサを有している。本実施形態においては、センサ部２０は、位置センサ２１、生体センサ２２、姿勢センサ２３、温湿度計２４、電界センサ２５、匂いセンサ２６、加速度センサ２７、角速度センサ２８、明るさセンサ２９を有しているものとする。
【００２１】
位置センサ２１は、ＧＰＳ（Global Positioning System）モジュールを含む。ＧＰＳモジュールは、携帯機器１０の位置（例えば緯度や経度）を検出するセンサである。また、位置センサ２１は、無線ＬＡＮ基地局との通信結果に基づいて、携帯機器１０の位置を検出するセンサを含んでいてもよい。
【００２２】
生体センサ２２は、携帯機器１０の本体部１１の一部（ユーザの手が触れやすい部分）に設けられ、携帯機器１０を保持するユーザの状態を取得するセンサである。生体センサ２２は、一例として、ユーザの体温、血圧、脈拍および発汗量等を取得する。このような生体センサ２２としては、一例として、特開２００１−２７６０１２号公報（米国特許６，５２６，３１５号）に開示されているような、発光ダイオードからユーザに向けて光を照射し、この光に応じてユーザから反射した光を受光することにより、脈拍を検出するセンサや、特開２００７−２１５７４９号公報（米国公開２００７−１９１７１８号）に開示されているような腕時計型の生体センサを採用することができる。
【００２３】
また、生体センサ２２としては、ユーザが携帯機器１０を保持している力に関する情報（例えば握力）を取得するセンサ（圧力センサ）を有しているものとする。このような圧力センサは、ユーザが携帯機器１０を保持したことや、携帯機器１０を保持する力の大きさを検出することができる。なお、後述する制御部６０は、圧力センサによりユーザが携帯機器１０を保持したことを検出した段階で、他の生体センサによる情報の取得を開始するようにしてもよい。また、制御部６０は、電源がオンとなっている状態において、圧力センサによりユーザが携帯機器１０を保持したことを検出した段階で、その他の機能をオンにする（あるいはスリープ状態から復帰する）ような制御を行うこととしてもよい。また、生体センサ２２として発汗センサや心拍数を検出する心拍センサを設けてもよい。
【００２４】
姿勢センサ２３は、携帯機器１０の内部に設けられ、携帯機器１０の姿勢を検出することにより、後述する撮像部３０の姿勢を検出するものである。姿勢センサ２３としては、フォトインタラプタの赤外光を、重力によって移動する小球が遮断するか否かにより一軸方向の姿勢を検出するセンサを複数組み合わせた構成を採用することができる。ただし、これに限らず、姿勢センサ２３としては、３軸加速度センサやジャイロセンサなどを採用することとしてもよい。
【００２５】
温湿度計２４は、携帯機器１０の周囲の温度や湿度を検出する環境センサである。なお、温湿度計２４に代えて、温度計及び湿度計が携帯機器１０に別々に設けられてもよい。なお、温湿度計２４は、生体センサ２２によるユーザの体温を検出する機能と兼用される構成であってもよい。
【００２６】
電界センサ２５は、人体周辺に存在する電界を検出するセンサである。人体周辺の電界は、筋肉の伸縮等で変化することから、電界センサ２５で検出される電界が所定の変動を示す場合には、携帯機器１０が人体付近に存在している（例えば、上着の胸ポケットやズボンのポケットで保持されている）ことがわかる。なお、電界センサ２５で検出される電界が変動しない場合には、携帯機器１０が人体付近にない（例えば、カバンなどに収納されていたり、机の上に置いてある）ということがわかる。なお、電界センサ２５としては、電圧変化を光の強弱に置換して電気信号を検出する光学式電界センサを用いてもよく、電圧変化を磁気の強弱に置換して電気信号を検出するトライデント電界センサを用いてもよい。
【００２７】
匂いセンサ２６は、金属酸化物半導体を備え、特定の臭気成分を検出することが可能なセンサであり、本実施形態では、例えば、汗のにおい（アンモニア成分）を検出することが可能なセンサであるものとする。匂いセンサ２６による検出結果は、衣服のクリーニング時期の判定に用いられる。
【００２８】
加速度センサ２７としては、圧電素子や歪ゲージなどを用いることができる。加速度センサ２７の検出軸は、３軸方向とすることができる。角速度センサ２８は、ジャイロセンサを含み、携帯機器１０の角速度を検出する。ここで、本実施形態では、加速度センサ２７と角速度センサ２８の検出結果を用いて、ユーザが携帯機器１０を上着の胸ポケット（図２（ａ）のＡ点）に入れて歩いているのか、ズボンのポケット（図２（ａ）のＢ点）に入れて歩いているのかを判別するものとする。具体的には、ユーザが歩いている場合、進行方向と鉛直方向を含む面に垂直な軸回りの角速度（図２（ｂ）参照）は、胸ポケットで携帯機器１０が保持されている場合にはほぼ０となるが（図２（ｃ））、ズボンのポケットで保持されている場合には角速度は正負の値で振動する。このように、角速度の変化をモニタすることで、携帯機器１０の保持位置を判別することができる。なお、ユーザの進行方向については、制御部６０が、ユーザの歩き出し時の加速度の変化に基づいて判断するようにすればよい。
【００２９】
なお、加速度センサ２７のみを用いても、ユーザが携帯機器１０を上着のポケットに入れて歩いているのか、ズボンのポケットに入れて歩いているのかを判別することができる。具体的には、図３（ａ）に示すように、歩き出しから所定時間経過後には、ユーザの胸ポケット部分の加速度はほぼ０になるが、ズボンのポケット部分の加速度は、図３（ｂ）に示すように、頻繁に変動する。このように、加速度の変化をモニタすることで、携帯機器１０の保持位置を判別することができる。
【００３０】
図１に戻り、明るさセンサ２９は、照度計等を含み、携帯機器１０がポケットの中に入っているのか、手で持たれているのかを判別するのに用いられる。
【００３１】
撮像部３０は、カメラを有し、ユーザからのタッチパネルを介した撮像指示や、制御部６０からの撮像指示に応じて撮像を行う。なお、撮像部３０は、図４に示すように、ユーザが携帯機器１０を操作している状態で、顔及び胸元までの範囲（例えば、図４に示す５００ｍｍ四方の範囲）を撮像できるようにディスプレイ１２やタッチパネル１４と同じ面に設けられ、撮像方向や画角が調整・設定されているものとする。なお、ディスプレイ１２やタッチパネル１４とは異なる面（例えば裏面）に撮像部３０を設けて、ユーザが図４に示す状態のときにユーザのズボンを撮像するようにしてもよい。
【００３２】
服装検出部４１は、撮像部３０により撮像されたユーザの衣服を検出するものであり、後述のフラッシュメモリ５０に記憶されている服装データと比較され、フラッシュメモリ５０の服装データに記憶されていない場合は、ユーザが新しく購入した服装としてフラッシュメモリ５０に記憶される。
【００３３】
フラッシュメモリ５０は、不揮発性の半導体メモリである。フラッシュメモリ５０は、制御部６０によって実行される携帯機器１０を制御するためのプログラム、および、携帯機器１０を制御するための各種パラメータ、後述するデータベース（図６，図９参照）等を記憶する。
【００３４】
制御部６０は、ＣＰＵを有し、携帯機器１０全体を統括的に制御する。本実施形態においては、制御部６０は、ユーザの服装を適切なタイミングで撮像したり、ユーザの衣服のにおいを判定したり、ユーザの衣服のクリーニング時期を予測したりする。
【００３５】
次に、本実施形態の制御部６０による処理（（１）撮像処理、（２）におい判定処理、（３）クリーニング時期予測処理）について詳細に説明する。なお、各処理は、同時並行的に実行されるものとする。
【００３６】
（１）撮像処理
まず、制御部６０による撮像処理について、図５のフローチャートに沿って詳細に説明する。なお、図５の処理は、ユーザの服装を撮像できるタイミングで、撮像部３０による撮像を行い、当該撮像結果に基づく情報を服装ＤＢ（図６）に記録する処理である。
【００３７】
図５の処理では、ステップＳ１０において、制御部６０が、前回撮像から所定時間経過するまで待機する。ここでは、所定時間として、例えば３０分が設定されているものとする。ステップＳ１０の判断が肯定された場合には、ステップＳ１２に移行する。
【００３８】
ステップＳ１２に移行すると、制御部６０は、生体センサ２２、姿勢センサ２３の検出結果に基づいて、ユーザの服装を撮像可能か否かを判断する。より具体的には、制御部６０は、生体センサ２２の検出結果に基づいて、ユーザが携帯機器１０を保持しているか否か、及び姿勢センサ２３の検出結果に基づいて、ユーザを撮像可能な方向を向いているか否かを判断する。ステップＳ１２の判断が肯定された場合には、ステップＳ１４に移行するが、否定された場合には、ステップＳ１２の判断を繰り返す。
【００３９】
ステップＳ１４に移行すると、制御部６０は、撮像部３０に指示を出し、ユーザの服装を撮像するとともに、カレンダ部１６から日時情報を取得する。
【００４０】
次いで、ステップＳ１６では、制御部６０は、服装検出部４１に対して服装ＩＤを特定するよう指示を出す。服装検出部４１は、撮像部３０によって撮像された服装の画像と、過去に撮像されて服装ＩＤが既に割り振られている服装の画像とのパターンマッチングにより、服装ＩＤを特定する。なお、過去に既に撮像されている服装と一致しない（新しい服装である）場合には、服装検出部４１は、新たな服装ＩＤを割り当てるものとする。
【００４１】
次いで、ステップＳ１８では、制御部６０は、服装ＤＢ（図６（ａ）参照）を参照し、特定された服装ＩＤが、前回撮像時と同じ服装ＩＤであるか否かを判断する。なお、服装ＤＢは、図６（ａ）に示すように、日時と、服装ＩＤと、経過時間と、補正経過時間の各フィールドを有する。日時のフィールドには、画像の撮像日時が入力される。服装ＩＤのフィールドには、ステップＳ１６で特定された服装ＩＤが入力される。経過時間のフィールドには、同一の服装を着用した時間が入力される。補正経過時間のフィールドには、同一の服装を着用した時間を次に撮像された画像に基づいて事後的に補正した値が入力される。
【００４２】
ステップＳ１８の判断が肯定された場合には、ステップＳ２０に移行し、制御部６０は、服装ＤＢの経過時間を加算し、記憶する。より具体的には、例えば、図６（ａ）において、「2012/07/01 11:00:00」のデータまでが服装ＤＢに格納されていた状態で、新たに「2012/07/01 14:30:00」の撮像が行われたとする。この場合には、制御部６０は、経過時間３．５ｈを、これまでの経過時間１．０ｈに加算した４．５ｈを服装ＤＢに記憶するようにする。なお、ステップＳ２０の処理が行われた後は、ステップＳ１０に戻る。
【００４３】
一方、ステップＳ１８の判断が否定された場合、すなわち、前回撮像時とは異なる服装であった場合には、ステップＳ２２に移行し、制御部６０は、過去の同じ服装ＩＤの経過時間を読み出す。なお、図６（ｂ）に示すように、過去に同じ服装（服装ＩＤ＝Ｂ）の情報がなければ、経過時間として０．０ｈを読み出す。
【００４４】
次いで、ステップＳ２４では、制御部６０が、１つ前の服装の経過時間を補正する。この場合、制御部６０は、例えば、図６（ｂ）に示す、服装ＩＤ＝Ａの服装を最後に撮像した日時「2012/07/01 14:30:00」と、服装ＩＤ＝Ｂの服装を最初に撮像した日時「2012/07/01 18:00:00」との間の時間（３．５ｈ）は、服装ＩＤ＝Ａの服装を着ていたものとみなし、補正経過時間として、経過時間４．５ｈに３．５ｈを加算した８．０ｈを設定する。ただし、これに限らず、上述した時間３．５ｈのうちの半分において服装ＩＤ＝Ａの服装を着ていて、残り半分において服装ＩＤ＝Ｂの服装を着ていたものと推定するなどしてもよい。なお、ステップＳ２４の処理が行われた後は、ステップＳ１０に戻る。
【００４５】
ステップＳ１０に戻った後は、ステップＳ１０〜Ｓ２４の処理・判断が繰り返され、服装ＤＢには、服装の情報が随時追加されるようになっている。
【００４６】
なお、図７（ａ）には、日時「2012/07/02 08:00:00」において服装ＩＤ＝Ａの服装が撮像された場合（ステップＳ２２，Ｓ２４を経た場合）が示され、図７（ｂ）には、日時「2012/07/02 10:00:00」において服装ＩＤ＝Ａの服装が撮像された場合（ステップＳ２０を経た場合）が示されている。
【００４７】
（２）におい判定処理
次に、制御部６０による、におい判定処理について、図８のフローチャートに沿って詳細に説明する。
【００４８】
図８の処理では、ステップＳ３０において、制御部６０は、電界センサ２５の検出値に所定の変化があり、明るさが所定値以下であるか否かを判断する。ここでの判断が肯定された場合、すなわち、携帯機器１０が人体付近で保持され、かつポケットの中に入れられていると判断できる場合には、ステップＳ３４に移行し、制御部６０は、衣服近辺に携帯機器が存在していると判定し、ステップＳ３６に移行する。なお、ステップＳ３０の判断が否定された場合には、ステップＳ３２に移行し、制御部６０は、衣服近辺に携帯機器が存在していないと判定し、ステップＳ３０に戻る。
【００４９】
ステップＳ３４を経て、ステップＳ３６に移行すると、制御部６０は、匂いセンサ２６を用いてにおい（汗のにおいなど）を検出する。次いで、ステップＳ３８では、制御部６０は、におうか否か、すなわち、においが予め定められた許容範囲を超えているか否かを判断する。ここでの判断が否定された場合には、ステップＳ３０に戻るが、肯定された場合には、ステップＳ４０に移行する。
【００５０】
ステップＳ４０に移行した場合、制御部６０は、角速度センサ２８及び加速度センサ２７を用いて、携帯機器１０の保持位置（上着の胸ポケットか、ズボンのポケットか）を検出する（図２参照）。なお、ステップＳ４０では、制御部６０は、加速度センサ２７を用いて、携帯機器１０の保持位置を検出する（図３参照）こととしてもよい。
【００５１】
次いで、ステップＳ４２では、制御部６０は、携帯機器１０が上着の胸ポケットにて保持されているか否かを判断する。ここでの判断が肯定された場合には、ステップＳ４４に移行し、制御部６０は、「上着がにおう」と判定する。一方、ステップＳ４２の判断が否定された場合には、ステップＳ４６に移行し、制御部６０は、「ズボンがにおう」と判定する。なお、ステップＳ４４，Ｓ４６を経た後は、ステップＳ４８に移行する。
【００５２】
ステップＳ４８では、制御部６０は、服装ＤＢを参照し、服装ＩＤ及び経過時間と対応付けて、においＤＢ（図９（ａ））にステップＳ４４又はＳ４６の判定結果を記録する。ここで、においＤＢは、図９（ａ）に示すように、におい検出日時と、服装ＩＤと、上下判定と、着用時間の各フィールドを有する。におい検出日時のフィールドには、ステップＳ３８が肯定された日時が入力され、服装ＩＤのフィールドには、におい検出日時に対応する服装ＩＤ（服装ＤＢに記録されている最新の服装ＩＤ）が入力される。また、上下判定のフィールドには、上着又はズボン（ステップＳ４４，Ｓ４６の判定結果）が入力され、着用時間のフィールドには、服装ＤＢに記録されている最新の経過時間が入力される。
【００５３】
次いで、ステップＳ５０に移行すると、制御部６０は、ディスプレイ１２やスピーカ１５を介して、クリーニング時期到来や防臭処置到来時期を報知する。この場合、制御部６０は、ディスプレイ１２上に、例えば「現在着用している上着のクリーニング時期が到来しました」などのメッセージを表示するなどすればよい。また、制御部６０は、スピーカ１５から警告音を出力するようにすればよい。また、制御部６０は、ユーザに対して防臭処置（スキンケア、入浴、シャワー）を報知するようにしてもよい。
【００５４】
次いで、ステップＳ５２では、制御部６０は、におい発生予測時間ＤＢ（図９（ｂ）参照）を更新する。ここで、におい発生予測時間ＤＢは、図９（ｂ）に示すように、服装ＩＤと、上下判定と、予測時間のフィールドを有する。予測時間は、各服装においてにおいが発生するまでの実際の時間の平均となっている。したがって、ステップＳ５２では、制御部６０は、においＤＢの最新の着用時間を用いて予測時間を再計算して、におい発生予測時間ＤＢを更新するものとする。なお、におい発生予測時間ＤＢ（図９（ｂ）参照）は、カレンダ部１６による季節情報や、温湿度計２４により計測される温度・湿度に基づいて、発汗しやすい環境であれば予測時間を短くする補正値（または補正係数）を用意し、発汗しにくい環境であれば予測時間を長くする補正値（または補正係数）を用意してもよい。これに代えて、または、これに加えて、生体センサ２２の発汗センサや、心拍センサの値が大きくなるに連れて予測時間を短くするような補正値（または補正係数）を用意してもよい。
【００５５】
その後は、ステップＳ３０に戻り、以降においては、ステップＳ３０〜Ｓ５０の処理・判断が繰り返されることになる。
【００５６】
なお、一度においが検出された服装において、においが検出されなくなった場合には、クリーニングや防臭処置が行われたと考えられる。このような場合には、制御部６０は、服装ＤＢから当該服装のデータを削除（経過時間をリセット）するようにしてもよい。また、においが検出されず、服装ＤＢの経過時間が長時間となる場合もある。このような場合には、経過時間が所定の閾値を超えた段階で、服装ＤＢから当該服装のデータを削除（経過時間をリセット）するようにしてもよい。
【００５７】
（３）クリーニング時期予測処理
次に、制御部６０によるクリーニング時期予測処理について、図１０に基づいて説明する。図１０の処理は、衣服ににおいが発生する前に衣服ににおいが発生する時期を予測し、ユーザに報知する処理である。
【００５８】
図１０の処理では、ステップＳ６０において、制御部６０は、服装の撮像が行われるまで待機する。この場合、制御部６０は、図５のステップＳ１４の処理が行われた段階で、ステップＳ６２に移行する。
【００５９】
ステップＳ６２に移行すると、制御部６０は、服装ＤＢ（図７（ｂ）等）を参照する。次いで、ステップＳ６４では、制御部６０は、におい発生予測時間ＤＢを参照し、現在の服装の着用時間が予想時間を超えたか否かを判断する。ここでの判断が肯定された場合には、近い将来、においが発生する可能性が高いと判断できるので、ステップＳ６６において、制御部６０は、クリーニング時期到来を報知する。その後は、ステップＳ６０に戻る。
【００６０】
一方、ステップＳ６４の判断が否定された場合には、制御部６０は、ステップＳ６８に移行し、位置センサ２１（例えばＧＰＳモジュール）を用いて位置取得を行う。なお、詳細な位置（例えば、建物内における位置）を取得する場合には、ＧＰＳモジュールとともに、無線ＬＡＮ基地局との通信結果を利用して位置を検出するセンサを用いて、位置取得を行うこととしてもよい。
【００６１】
次いで、ステップＳ７０では、制御部６０は、フラッシュメモリ５０に格納されている地図ＤＢ（緯度や経度の情報と、建物等の情報とが関連付けられている）を参照して、ユーザの居場所を特定する。なお、建物内において位置センサを用いた位置取得ができない場合には、建物に入る直前に得られた位置情報を利用することとすればよい。
【００６２】
次いで、ステップＳ７２では、制御部６０は、ユーザがにおいのつきやすい場所（例えば、居酒屋やパチンコ店、駅のスモーキングエリアなど）に存在しているか否かを判断する。ここでの判断が否定された場合には、ステップＳ６０に戻るが、肯定された場合には、ステップＳ７４に移行する。
【００６３】
ステップＳ７４に移行した場合、制御部６０は、場所を考慮して、服装の着用時間を補正する。例えば、制御部６０は、ユーザがにおいのつきやすい場所にいた時間を所定数倍して、着用時間を補正するようにしてもよいし、ユーザがにおいのつきやすい場所にいた段階で、着用時間に所定数を加算する補正を行うこととしてもよい。
【００６４】
次いで、ステップＳ７６に移行すると、制御部６０は、補正後の着用時間がにおい発生予想時間を超えたか否かを判断する。ここでの判断が否定された場合には、制御部６０は、ステップＳ６０に戻るが、肯定された場合には、ステップＳ６６においてクリーニング時期到来をユーザに報知した後、ステップＳ６０に戻る。なお、クリーニング時期到来に代えて衣服の防臭処置時期の到来を報知してもよい。
【００６５】
なお、ステップＳ６０に戻った後は、ステップＳ６０〜Ｓ７６の処理・判断が繰り返される。そして、クリーニング時期が到来する度に、ユーザに対する報知が行われるようになっている。
【００６６】
以上、詳細に説明したように、本実施形態によると、制御部６０は、ユーザの体の動きを検出する加速度センサ２７、角速度センサ２８の検出結果に応じて、ユーザの体のどの位置で携帯機器１０が保持されているかを判別するので、携帯機器１０の保持位置（例えば上着の胸ポケットやズボンのポケット）を、ユーザの動きに基づいて高精度に判別することができる。このように判別された携帯機器１０の保持位置は、携帯機器１０の種々の機能を実現する際に利用することができる。
【００６７】
また、本実施形態では、制御部６０は、電界センサ２５による電界の検出結果に基づいて、ユーザの体に接触又は近接していることを検出するので、ユーザが体近傍（服のポケットなど）で携帯機器１０を保持しているのか、鞄の中で携帯機器１０を保持しているのか等を高精度に判別することができる。
【００６８】
また、本実施形態では、制御部６０は、匂いセンサ２６の検出結果を取得するので、携帯機器１０が保持されている位置と匂いセンサ２６の検出結果を利用することで、においの発生位置を高精度に判別することができる。この場合、ユーザが携帯機器１０を自主的に服装に近づけるなどする必要がないので、ユーザにとって使い勝手がよい。また、制御部６０は、ディスプレイ１２やスピーカ１５を介して、クリーニング時期到来（防臭に関する情報）を報知するので、ユーザは適切なタイミングで衣服のクリーニングを行うことができる。また、本実施形態では、ユーザが携帯機器１０を使用しているタイミングで、ユーザが着用している衣服を撮像部３０が撮像するので、制御部６０は、どの衣服からにおいが発生しているかを特定することができる。
【００６９】
また、本実施形態では、携帯機器１０が位置センサ２１を備えており、制御部６０は、位置センサ２１の検出結果に基づいてユーザの居場所を特定し、当該居場所を考慮して衣服のクリーニング時期を報知するので、においのつきやすい場所にユーザがいる場合等を考慮した、適切なクリーニング時期の予測及び予測結果に基づく報知を行うことができる。
【００７０】
また、本実施形態では、制御部６０は、携帯機器１０近傍の明るさを検出する明るさセンサ２９の検出結果に応じてユーザの体のどの位置で携帯機器１０が保持されているかを判別している。この場合、ユーザが、ズボンのポケットに携帯機器１０を入れて歩行している場合と、手に持って歩行している場合とでは、角速度センサ２８や加速度センサ２７の検出結果の波形（図２，図３参照）は近似するものと考えられる。したがって、明るさセンサを用いることで、ユーザが、ズボンのポケットに携帯機器１０を入れて歩行しているのか、手に持って歩行しているのかを、精度よく判別することができる。
【００７１】
なお、上記実施形態では、携帯機器１０がユーザの体に接触した状態又は近傍で保持されているか否かを、電界センサ２５の検出結果に基づいて判定する場合について説明したが、これに限られるものではない。例えば、図１１に示すように、靴用モジュール１００を靴の中に仕込んでおき、当該靴用モジュール１００と携帯機器１０との人体通信が成立しているか否かに基づいて、携帯機器１０がユーザの体に接触した状態又は近傍で保持されているか否かを判定するようにしてもよい。なお、携帯機器１０には、電極部７０と受信部１８を設けるものとする。また、靴用モジュール１００は、電極部１１０、送信部１１２、制御部１１４、メモリ１１６を有しているものとする。
【００７２】
電極部７０は、信号電極とグラウンド電極とを有し、ユーザを介して靴用モジュール１００と人体通信するための電極である。なお、携帯機器１０がユーザに接触している場合はもちろん、胸ポケットなどに携帯機器１０が収納されている場合（すなわち、ユーザの体と携帯機器１０が対向している場合）にも、人体通信は可能である。受信部１８はバンドパスフィルタを有する電気回路から構成され、靴用モジュール１００から送信される各種データを受信するものである。
【００７３】
電極部１１０は、信号電極とグラウンド電極とを有し、ユーザを介して携帯機器１０と通信を行うための電極である。この電極部１１０は、靴のうち、ユーザの足に触れやすい位置に設けられている。なお、電極部１１０を用いた人体通信は、ユーザの足と電極部１１０が接触している場合はもちろん、ユーザが靴下を履いている場合（すなわち、ユーザの足と電極部１１０が対向している場合）であっても、実現可能である。送信部１１２は、バンドパスフィルタを有した電気回路から構成され、メモリ１１６に記憶されているデータを、電極部１１０や人体を介して携帯機器１０に送信するものである。制御部１１４は、携帯機器１０へのデータ送信を制御する。メモリ１１６は、靴用モジュール１００の個体番号等を記憶している。この場合、制御部１１４は、電極部１１０を介した携帯機器１０との人体通信が可能な場合に、送信部１１２を制御して、メモリ１１６に記憶されている個体番号を携帯機器１０に対して送信する。
【００７４】
なお、制御部６０は、靴用モジュール１００との人体通信の結果と、電界センサの検出結果をと併用して、携帯機器１０が人体に接触している又は近接しているか否かを判別してもよい。
【００７５】
なお、図１１のような靴用モジュール１００に代えて、時計に装着可能な時計用モジュールやアクセサリ（ネックレスなど）に装着可能なアクセサリ用モジュール（いずれも靴用モジュール１００と同様の構成を有するものとする）など、ユーザが身につけるものに装着可能な人体通信用モジュールを用いることとしてもよい。
【００７６】
なお、上記実施形態では、制御部６０は、生体センサ２２や姿勢センサ２３の検出結果に基づいて、ユーザが携帯機器１０を操作しているか否かを判断し、当該判断結果に基づいてユーザの服装の撮影が可能か否かを判断する（Ｓ１２）場合について説明した。しかしながら、これに限られるものではなく、制御部６０は、ユーザが例えばＷｅｂブラウザを利用している場合、電話帳検索をしている場合、メール文書を作成している場合などにおいて、ユーザの服装の撮影が可能と判断することとしてもよい。なお、図５のように制御部６０が撮像タイミングを判断し自動的に服装の撮像を行う場合に限らず、ユーザが自らの操作で意図的に服装を撮像することとしてもよい。
【００７７】
なお、上記実施形態では、図８のステップＳ３８において、制御部６０は、におうかにおわないかを判断することとしたが、これに限られるものではない。例えば、制御部６０は、においのレベルを「におわない」、「少しにおう」、「におう」、「非常ににおう」というように段階的に設定し、「におう」や「非常ににおう」のときにクリーニング時期到来を報知するようにしてもよい。
【００７８】
なお、上記実施形態では、制御部６０は、図１０のステップＳ７０において、フラッシュメモリ５０に格納されている地図ＤＢを参照する場合について説明したが、これに限られるものではなく、インターネット上の情報を参照することとしてもよい。
【００７９】
なお、上記実施形態では、センサ部２０に含まれるセンサが全て本体部１１に搭載されている場合について説明したが、これに限らず、少なくとも１つのセンサが、入出力インタフェース等を介して本体部に着脱可能に接続され、本体部近傍に存在していてもよい。
【００８０】
なお、上記実施形態では、図５、図８、図１０の処理が同時並行的に実行される場合について説明したが、これに限られるものではない。例えば、図５と図８の処理のみを行うこととしてもよい。また、画像を取得せずに、においに関する処理のみを行うこととしてもよい。
【００８１】
上述した実施形態は本発明の好適な実施の例である。但し、これに限定されるものではなく、本発明の要旨を逸脱しない範囲内において種々変形実施可能である。
【符号の説明】
【００８２】
１０  携帯機器
１１  本体部
１２  ディスプレイ
１５  スピーカ
２１  位置センサ
２５  電界センサ
２６  匂いセンサ
２７  加速度センサ
２８  角速度センサ
２９  明るさセンサ
３０  撮像部
６０  制御部
７０  電極部
１００  靴用モジュール
【図１】
2013255192.tif 000003
【図２】
2013255192.tif 000004
【図３】
2013255192.tif 000005
【図４】
2013255192.tif 000006
【図５】
2013255192.tif 000007
【図６】
2013255192.tif 000008
【図７】
2013255192.tif 000009
【図８】
2013255192.tif 000010
【図９】
2013255192.tif 000011
【図１０】
2013255192.tif 000012
【図１１】
2013255192.tif 000013